(57)【特許請求の範囲】
【請求項１】
無線電話端末の位置情報を利用して監視対象者の同伴者に関する情報を報知する同伴者情報報知システムであって、
無線電話端末を保持する監視対象者の近辺に存在する無線電話端末を保持する人物が監視対象者の同伴者であるかどうか判断するための無線電話端末に関する条件を示す判断条件情報であって、前記監視対象者が保持する無線電話端末の移動速度が所定の速度を超えない場合に前記監視対象者が保持する無線電話端末および該監視対象者の近辺に存在する無線電話端末を選別する条件を有する判断条件情報を記憶する判断条件情報記憶部と、
前記監視対象者が保持する無線電話端末の位置情報を取得し、前記監視対象者の無線電話端末の移動速度が所定の速度を超えるか否かを判定し、前記監視対象者の無線電話端末の移動速度が所定の速度を超えないと判定した場合に、前記監視対象者の近辺に存在する無線電話端末の位置情報および加入者情報を取得し、前記監視対象者が保持する無線電話端末の位置情報、並びに、前記監視対象者の近辺に存在する無線電話端末の位置情報および加入者情報が前記判断条件情報が示す条件を満たす無線電話端末を選別し、前記選別された無線電話端末に関する情報を同伴者情報として報知する制御部と、
を備えることを特徴とする同伴者情報報知システム。 
【請求項２】
前記判断条件情報は、
無線電話端末を保持する監視対象者の近辺に存在する無線電話端末を保持する人物が監視対象者の同伴者候補者であるか判断するための無線電話端末に関する検出条件と、報知が必要でない人物を前記同伴者候補者から外すための無線電話端末に関する選別条件である警告除外対象情報と、同伴者情報の警告報知先を記述した警告通知先情報を有し、
前記制御部は、
前記取得した位置情報および加入者情報を前記検出条件と比較して選別される無線電話端末から、前記警告除外対象情報に記述される無線電話端末を除外し、残った無線電話端末に関する情報を前記警告通知先情報に記述される通知先に同伴者情報として報知する、
ことを特徴とする請求項１に記載の同伴者情報報知システム。 
【請求項３】
前記判断条件情報は、前記検出条件、前記警告除外対象情報、および前記警告通知先情報を１セットとし、ひとつの監視対象の無線電話端末について複数セットの条件情報を保持することが可能である、
ことを特徴とする請求項２に記載の同伴者情報報知システム。 
【請求項４】
無線電話端末の位置情報を利用して監視対象者の同伴者に関する情報を報知するための同伴者情報報知プログラムであって、
無線電話端末を保持する監視対象者の近辺に存在する無線電話端末を保持する人物が監視対象者の同伴者であるかどうか判断するための無線電話端末に関する条件を示す判断条件情報であって、前記監視対象者が保持する無線電話端末の移動速度が所定の速度を超えない場合に前記監視対象者が保持する無線電話端末および該監視対象者の近辺に存在する無線電話端末を選別する条件を有する判断条件情報を取得し、前記監視対象者が保持する無線電話端末の位置情報を取得し、前記監視対象者の無線電話端末の移動速度が所定の速度を超えるか否かを判定し、前記監視対象者の無線電話端末の移動速度が所定の速度を超えないと判定した場合に、前記監視対象者の近辺に存在する無線電話端末の位置情報および加入者情報を取得する情報取得手順と、
前記監視対象者が保持する無線電話端末の位置情報、並びに、前記監視対象者の近辺に存在する無線電話端末の位置情報および加入者情報が前記判断条件情報が示す条件を満たす無線電話端末を検知する同伴者検知手順と、
該無線電話端末に関する情報を同伴者情報として報知する同伴者情報報知手順と、
をコンピュータに実行させることを特徴とする同伴者情報報知プログラム。 
【請求項５】
無線電話端末の位置情報を利用して監視対象者の同伴者に関する情報を報知する同伴者情報報知方法であって、
無線電話端末を保持する監視対象者の近辺に存在する無線電話端末を保持する人物が監視対象者の同伴者であるかどうか判断するための無線電話端末に関する条件を示す判断条件情報であって、前記監視対象者が保持する無線電話端末の移動速度が所定の速度を超えない場合に前記監視対象者が保持する無線電話端末および該監視対象者の近辺に存在する無線電話端末を選別する条件を有する判断条件情報を取得し、前記監視対象者が保持する無線電話端末の位置情報を取得し、前記監視対象者の無線電話端末の移動速度が所定の速度を超えるか否かを判定し、前記監視対象者の無線電話端末の移動速度が所定の速度を超えないと判定した場合に、前記監視対象者の近辺に存在する無線電話端末の位置情報および加入者情報を取得する第一ステップと、
前記監視対象者が保持する無線電話端末の位置情報、並びに、前記監視対象者の近辺に存在する無線電話端末の位置情報および加入者情報が前記判断条件情報が示す条件を満たす無線電話端末を検知する第二ステップと、
該無線電話端末に関する情報を同伴者情報として報知する第三ステップと、
を含んだことを特徴とする同伴者情報報知方法。
【発明の詳細な説明】
【技術分野】
【０００１】
この発明は、携帯電話端末位置の相対関係を取り扱うシステムに関し、特に無線電話端末の位置情報取得技術を利用して監視対象者の同伴者を検知して監視者に通知する技術に関するものである。
【背景技術】
【０００２】
近年、子供などが好ましくない交際関係から発展した重大な事件に巻き込まれるケースが増加し、社会問題化している。これらのケースに対しては、子供などに同伴する人物を検知して監視者等に通知する技術が非常に有効な防止手段となりうる。
【０００３】
その一方で、無線電話端末を用いることで取得できる位置情報を利用し、近づいて欲しくない人物が近づいている状況を検出する技術が開発されている。例えば特許文献１によれば、無線電話端末と、該無線電話端末から登録行為を実施された無線電話端末との相対距離が一定距離以内（登録行為実施時に設定）となった際に警告を発し、対象となる端末所有者双方が遭遇すると予測される場所や時刻を通知し、対応を促す。
【０００４】
【特許文献１】特開２００６−９３７８６号公報
【発明の開示】
【発明が解決しようとする課題】
【０００５】
しかしながら、特許文献１の技術を同伴者検知の手段に適用する場合、警告対象となる無線電話端末についての情報（電話番号等）が必要であった。つまり、相手の情報を事前に入手しなければならないという問題があった。また、警告対象となる携帯電話端末保持者が接近したことは検出できるが、たまたま設定距離内に進入したのか、それとも対象者に同伴しているのかが判断できないという問題があった。
【０００６】
この発明は、上述した従来技術による問題を解消するためになされたものであり、監視対象者の同伴者の情報が不明であっても同伴行為を検知して監視者もしくは監視者の指定する者に同伴行為の情報および同伴行為の履歴・統計情報を提供する、同伴者情報報知システムを得ることを目的とする。
【課題を解決するための手段】
【０００７】
上述した問題を解決し、目的を達成するために、本発明は、無線電話端末の位置情報を利用して監視対象者の同伴者に関する情報を報知する同伴者情報報知システムであって、無線電話端末を保持する監視対象者の近辺に存在する無線電話端末を保持する人物が監視対象者の同伴者であるかどうか判断するための無線電話端末に関する判断条件情報を記憶する判断条件情報記憶部と、無線電話端末の位置情報と無線電話端末の加入者情報とを取得し、前記位置情報および前記加入者情報が前記判断条件情報を満たす無線電話端末を選別し、前記選別された無線電話端末に関する情報を同伴者情報として報知する制御部と、を備えることを特徴とする。
【０００８】
また、本発明は、上記の発明において、前記判断条件情報は、無線電話端末を保持する監視対象者の近辺に存在する無線電話端末を保持する人物が監視対象者の同伴者候補者であるか判断するための無線電話端末に関する検出条件と、報知が必要でない人物を前記同伴者候補者から外すための無線電話端末に関する選別条件である警告除外対象情報と、同伴者情報の警告報知先を記述した警告通知先情報を有し、前記制御部は、前記取得した位置情報および加入者情報を前記検出条件と比較して選別される無線電話端末から、前記警告除外対象情報に記述される無線電話端末を除外し、残った無線電話端末に関する情報を前記警告通知先情報に記述される通知先に同伴者情報として報知する、ことを特徴とする。
【０００９】
また、本発明は、上記の発明において、前記判断条件情報は、前記検出条件、前記警告除外対象情報、および前記警告通知先情報を１セットとし、ひとつの監視対象の無線電話端末について複数セットの条件情報を保持することが可能である、ことを特徴とする。
【００１０】
また、本発明は、無線電話端末の位置情報を利用して監視対象者の同伴者に関する情報を報知するための同伴者情報報知プログラムであって、無線電話端末の位置情報と、無線電話端末の加入者情報と、無線電話端末を保持する監視対象者の近辺に存在する無線電話端末を保持する人物が監視対象者の同伴者であるかどうか判断するための無線電話端末に関する判断条件情報と、を取得する情報取得手順と、前記位置情報および前記加入者情報が前記判断条件情報を満たす無線電話端末を検知する同伴者検知手順と、該無線電話端末に関する情報を同伴者情報として報知する同伴者情報報知手順と、をコンピュータに実行させることを特徴とする。
【００１１】
また、本発明は、無線電話端末の位置情報を利用して監視対象者の同伴者に関する情報を報知する同伴者情報報知方法であって、無線電話端末の位置情報と、無線電話端末の加入者情報と、無線電話端末を保持する監視対象者の近辺に存在する無線電話端末を保持する人物が監視対象者の同伴者であるかどうか判断するための無線電話端末に関する判断条件情報と、を取得する第一ステップと、前記位置情報および前記加入者情報が前記判断条件情報を満たす無線電話端末を検知する第二ステップと、該無線電話端末に関する情報を同伴者情報として報知する第三ステップと、を含んだことを特徴とする。
【発明の効果】
【００１２】
本発明によれば、監視対象者の同伴者の情報が不明であっても同伴行為を検知して監視者もしくは監視者の指定する者に同伴行為の情報および同伴行為の履歴・統計情報を提供する、同伴者情報報知システムを得るという効果を奏する。
【発明を実施するための最良の形態】
【００１３】
まず、本発明にかかる同伴者情報報知システムの後述する実施例を利用して提供することができる同伴者情報報知サービスの概要を説明する。図１は、本発明にかかる同伴者情報報知システムの実施例を利用して提供することができる同伴者情報報知サービスのサービス構成例である。
【００１４】
図１に示すように、情報管理システム１００および情報管理システム１００にアクセスするためのクライアントプログラムである同伴者情報報知システムクライアントプログラムが実装された情報端末機器２００を本サービスは使用する。さらに、監視対象者２は携帯電話端末またはＰＨＳ端末である端末３００を、不明な人物３も同様に端末３００を保持しており、両者は長時間近接した状態で存在していると仮定する。監視対象者２の同伴者を監視する監視者１は、情報端末機器２００を操作する。さらに、端末３００および情報管理システム１００は電話網５に接続されている。情報端末機器２００は、パーソナルコンピュータ、ＰＤＡ（Ｐｅｒｓｏｎａｌ  Ｄｉｇｉｔａｌ  Ａｓｓｉｓｔａｎｔｓ）、携帯電話端末、固定電話端末、あるいはＰＨＳ端末などであり、それらを含む情報端末機器２００に実装されている同伴者情報報知システムクライアントプログラムを実行が実行されることによって、登録条件５の送信、報知情報６の受信、および履歴・統計情報７の受信を行うことができる。
【００１５】
予め監視者１は、端末３００を保持する不明な人物３を監視者１に報知するべき同伴者と認定するための条件である登録条件５を、同伴者情報報知システムクライアントプログラムを実装した情報端末機器２００を使用して情報管理システム１００に送信する。登録条件５は、監視対象者が保持する端末３００と不明な人物３が保持する端末３００との距離条件と、監視対象者が保持する端末３００が位置する位置条件と、不明な人物３が保持する端末３００の加入者情報条件と、接触時間である時間条件とを含む検出条件、警告除外対象情報、および警告通知先情報によって構成されている。
【００１６】
また、監視対象者が保持する端末３００および不明な人物３が保持する端末３００の位置情報は略リアルタイムに測位されており、その位置情報は略リアルタイムで電話網５を通じて情報管理システム１００に取得される。ここで、端末３００の位置情報の測位方法は、ＧＰＳモジュールを備える端末であるならばＧＰＳ測位方式、複数の基地局を使って測位を行う方式、またはそれらを組み合わせた方式など、位置情報を測位できる方法であれば種類は問わない。情報管理システム１００は、前記する端末位置登録情報および不明な人物３が保持する端末３００の加入者情報を登録条件５と比較し、条件に合致すると登録条件５に含まれる報知先情報に従って監視者１が所望する報知先に報知情報６を送信する。報知先は情報端末機器２００であっても、別の電話端末やパソコンなどであってもかまわない。報知情報の形式は、報知先が電話端末の場合は音声による報知であってよい。報知先がメールを閲覧できるパソコンや電話端末の場合はメールによる報知であってよい。これにより、監視者は、監視対象者が今どこでどの無線電話端末所有者と同伴しているかを検出することが可能である。また、一度条件に合致し、警告報知の対象となった無線電話端末が存在する間は条件に合致しない状況となるまで一定時間感覚で継続的に報知情報を発行してもよい。そうすることで、状態が継続したまま、どこを移動しているかを確認することが可能となる。
【００１７】
また、報知の実行状況は情報管理システム１００内に報知履歴情報として保持されており、監視者１は、情報端末機器２００に実装された同伴者情報報知システムクライアントプログラムを実行することによって履歴・統計情報７を閲覧することができる。統計情報とは、報知履歴を元のデータとして、その中にて頻繁に検出される端末やその累積・平均時間、検出場所についての傾向をつかみやすくするために加工をしたデータである。これにより、監視者は、監視対象者と同伴者との接触頻度や行動パターンを把握しやすくなる。前記する同伴者情報報知システムクライアントプログラムは、本サービスを提供するサービス会社のウェブサイトからのダウンロードにより提供されてよい。または、情報端末機器２００に予め実装された形で提供されてよい。
【００１８】
続いて、このようなサービスの具体的な利用方法の例を説明する。
【００１９】
年頃の娘を持つ会社員Ａは、最近学校からの娘の帰宅時刻が遅くなってきていることを気にしていた。よもや悪い虫でもついてはいまいかと、本サービスの利用を決定する。まず会社員Ａは検出条件として、パソコンに本サービスのクライアントプログラムをインストールしてプログラムを実行し、指定距離１０ｍ、滞在時間５分、年齢層１５歳〜４５歳、性別指定なしの設定を行い、警告除外対象情報として、学校の校舎内を設定し、警告通知先情報として自分の携帯電話端末のメールアドレスを設定した。
【００２０】
翌日、早速報知情報が携帯電話端末に送られてきたが、あまりに量が多く、検出場所や解除までの時間から不要な情報が多数検出されていると判断し、条件設定を見直すこととした。改めて検出条件として、指定距離１０ｍ、滞在時間３０分、年齢層１５歳〜４５歳、性別指定男性の設定を行い、警告除外対象情報として、学校の校舎内、時速３０ｋｍ以上での移動中(通学に利用しているバスを想定)、平日の８：３０〜１５：００(授業時間中を除外)を設定し、更に娘の親しい友人が所有する携帯電話端末の番号数件を除外対象の携帯電話端末番号として登録した。
【００２１】
翌日から通知される報知情報は大きく減少し、毎日２件の報知情報が携帯電話端末に送られてくるようになった。その2件はどちらも検出・解除時刻が同時刻で、検出・解除地域もその町の繁華街と同一、平日は１６：００から２０：００であり、土曜・日曜は長時間に渡ることも確認できた。
【００２２】
事態を重く見た会社員Ａは履歴情報及び統計情報を娘に示し、事実の説明を求めた。その結果、娘は最近知り合った男子学生２名と友人の女子学生１名（除外対象に含めていたため、検出されず）でグループ交際まがいの交友を行っており、繁華街に連日のように出向き、カラオケＢＯＸで遊んでいたという事実を語った。会社員Ａは事実を理解した上で、娘に交友の仕方について見直すことを要求した。
【００２３】
このように、本サービスによれば、相手の情報が不明であっても、監視対象者２に関する同伴者の情報を検出することが可能となる。また、同伴の傾向を把握しやすくなる。このようなサービスの提供が可能となる本発明にかかる同伴者情報報知システムの好適な実施例を、以下に添付図面を参照して詳細に説明する。
【実施例】
【００２４】
図２は、本発明にかかる同伴者情報報知システムの実施例の構成を示す図である。図２に示すように、同伴者情報報知システムは、情報管理システム１００および情報端末機器２００で構成される。情報管理システム１００は、情報管理サーバー１０１と、情報管理サーバー１０１に接続されている、端末位置登録情報記憶部１０７、加入者情報記憶部１０８、判断条件情報記憶部１０９、および報知履歴情報記憶部１１０を備える。
【００２５】
情報管理サーバー１０１は、第一の記憶部１０２、第一の制御部１０３、および第一の通信部１０４を備える。第一の記憶部１０２には、同伴者情報報知システムサーバープログラム１０５および対象端末情報１０６が記憶されており、それらは制御部により入出力される。第一の通信部１０４は、制御部により動作が制御され、情報端末機器２００との情報の送受信もしくは一般的な電話端末への音声報知を行う。また、情報管理サーバー１０１外に接続されている端末位置登録情報記憶部１０７、加入者情報記憶部１０８、判断条件情報記憶部１０９、および報知暦情報記憶部１１０は、それぞれ第一の制御部１０２との間で情報の送受信を行うことができる。
【００２６】
情報端末機器２００は、第二の記憶部２０１、第二の制御部２０２、入力部２０５、表示部２０６、および第二の通信部２０３を備える。第二の記憶部２０１には同伴者情報報知システムクライアントプログラム２０４が記憶されており、該プログラム２０４は第二の制御部２０２により読み込まれて実行される。第二の通信部２０３は、第二の制御部２０２により動作が制御され、第一の通信部１０４とネットワークを通じて情報の送受信を行うことができる。入力部２０５および表示部２０６は第二の制御部２０２と接続されており、入力部２０５はユーザによる情報の入力が行われ、表示部２０６はユーザへの情報の表示を行う。
【００２７】
次に、図２に示す構成の各部の機能を説明する。
【００２８】
まず、情報管理サーバー１０１が備える第一の記憶部１０２は、ＲＯＭ、ＲＡＭ、ＨＤＤなどの記憶デバイスであり、情報管理サーバー１０１内の情報を記憶する。同伴者情報報知システムサーバープログラム１０５は、情報管理システム１００の動作を司るプログラムであり、第一の記憶部１０２に記憶されている。
【００２９】
第一の制御部１０３はＣＰＵやＭＰＵなどの演算デバイスであり、同伴者情報報知システムサーバープログラム１０５を読み込んで実行することにより、情報管理システム１００の動作を制御する。
【００３０】
第一の通信部１０４は、外部の端末との通信に使用される。ここでの通信とは、電話網、インターネット、イントラネットなどのうちのひとつ、あるいは複数の通信ネットワーク上で、無線手段または有線手段を使用して行う通信のことである。第一の通信部１０４は、情報端末機器２００より、判断条件情報の閲覧要求および入力と、報知履歴・統計情報閲覧要求とを受信し、それぞれ第一の制御部１０３に送信する。また、第一の通信部１０４は、第一の制御部１０３の命令により、情報端末機器２００に対して判断条件情報および報知履歴・統計情報の送信を行う。また、第一の通信部１０４は、第一の制御部１０３の命令により、判断条件情報に記載されている報知先情報に従って、報知先の端末に報知を行う。報知先の端末と報知は、一般の電話端末への音声報知、または情報端末機器２００、一般の携帯電話端末、あるいは一般のパソコンへのメール報知などであってよい。
【００３１】
端末位置登録情報記憶部１０７は、携帯電話端末の位置情報である端末位置登録情報が記録されている。該情報は無線電話会社より取得される。端末位置登録情報記憶部１０７には、電話網５を介して監視対象者および不明な人物が保持する端末の現在の位置情報が略リアルタイムで登録される。
【００３２】
加入者情報記憶部１０８は端末の保持者の情報である加入者情報を記憶している。ここで、加入者情報記憶部１０８は、無線電話会社各社が保有するサーバーや記憶部などであってよい。
【００３３】
判断条件情報記憶部１０９は、不明な人物３が保持する端末３００が警告の報知を要する同伴者が所持するものかどうか判断するための情報である判断条件情報を記憶している。判断条件情報は、複数の条件セットを保持し、ひとつの条件セットは、検出条件、警告除外対象情報、および警告通知先情報により構成される。
【００３４】
図３は、条件セットの一つである検出条件の例を示す図である。検出条件は、対象無線電話端末の付近に存在する無線電話端末を警告の報知対象とするか否かの判断の基準となる条件である。ここでは、図３に示すように、指定距離（対象無線電話端末からの距離で、この距離以内であると報知対象としての判定対象となる）、滞在時間（ここで示した時間以上に指定距離以内に継続して存在した場合、報知対象となる）、年齢層、および性別（加入者情報を照会して報知対象とするか否かを判断）の項目を設け、それぞれ１０ｍ、１５分、１４歳以上７０歳未満、および男性と設定されており、これらの条件すべてを満たす端末が検出される。もちろん、検出条件の項目はこのほかにあってもかまわない。
【００３５】
図４は、条件セットの一つである警告除外対象情報の例を示す図である。警告除外対象情報は、警告報知を行わなくて良い対象無線電話端末の状態の定義および警告判定対象から除外する無線電話端末の情報である。ここでは、図４に示すように、対象無線電話端末の状態として高速移動中、特定エリアでの存在を例としてあげているが、これ以外に条件が存在しても良い。また、警告判定対象から除外する無線電話端末の電話番号を格納している。これらのうちのいずれかを満たす無線電話端末は、警告の報知対象からは除外される。これらの条件は複数存在してもかまわない。
【００３６】
図５は、条件セットの一つである警告通知先情報の例を示す図である。警告通知先情報は、警告対象の無線電話端末を検出した際に、誰にどういった手段で情報通知するかを定義する情報である。ここでは、図５に示すように、通知先として、固定電話端末の電話番号、無線電話端末番号、メールアドレスを挙げたが、これ以外の通知先情報であってもよい。警告内容（音声若しくはメール本文等）については、第一の制御部１０３にて警告発生状態に合わせて生成される。
【００３７】
図６は、前記する検出条件、警告除外対象情報、および警告通知先情報によって構成され、かつ判断条件情報を構成する、条件セットを説明する図である。判断条件情報は、この条件セットを対象無線電話端末に対して複数セット保持することができる。個々の条件セットは他の条件セットとは独立して警報対象検出及び通知先の特定に使用され、他の条件セットに設定された内容が別の条件セットを使用した際の判定・通知先に影響を与えることはないものとする。ここでは、図６に示すように、端末Ａに対する条件として条件セット１および条件セット２が保持され、端末Ｂに対する条件として条件セット３が保持されている。条件セット１は検出条件１、警告除外対象情報１、および警告通知先情報１から構成されている。また、条件セット２は、検出条件２、警告除外対象情報２、および警告通知先情報２から構成されている。また、条件セット３は、検出条件３、警告除外対象情報３、および警告通知先情報３から構成されている。このように、判断条件情報は複数の端末に対する条件が記憶されており、一端末につき複数の条件セットが設定可能である。また、ひとつの条件セットは、検出条件、警告除外対象情報、および警告通知先情報から構成されている。
【００３８】
報知履歴情報記憶部１１０は、報知対象となった端末の報知履歴情報が記憶されている。報知履歴情報とは、電話番号、報知日時、報知解除日時、報知開始場所、および報知解除場所であるが、このほかに記憶する項目が設定されてもよい。
【００３９】
第一の記憶部１０２に記憶されている対象端末情報１０６は、条件セットを使用して警告を要する端末を洗い出される警告候補端末の情報を格納する一時ファイルである。条件セットには時間条件が含まれており、該時間条件を満たす期間この対象端末情報１０６に保持される無線電話端末に関する情報は、第一の制御部１０３により警告対象として決定される。この対象端末情報１０６は、図６に示すとおり、複数のそれぞれの条件セットと対応して複数存在し、第一の記憶部１０２に記憶される。
【００４０】
情報端末機器２００が備える第二の記憶部２０１は、ＲＯＭ、ＲＡＭ、ＨＤＤなどの記憶デバイスであり、情報端末機器２００内の情報を記憶する。第二の記憶部２０１に記憶される同伴者情報報知システムクライアントプログラム２０４は、監視者１が前記する判断条件情報の確認と、判断条件情報を設定して情報管理サーバー１０１に送信するために使用されるプログラムである。また、該プログラム２０４は、監視者１が報知履歴・統計情報の閲覧を行うために使用されるプログラムでもある。
【００４１】
第二の制御部２０２はＣＰＵやＭＰＵなどの演算デバイスであり、同伴者報知システムクライアントプログラム２０４を読み込んで実行することにより、入力部２０５からの入力による判断条件閲覧および設定の命令を受け付けるとともに閲覧命令に対応して表示部２０６に判断条件を表示させ、第二の通信部２０３を制御して情報管理サーバー１０１と判断条件閲覧および設定のための情報の送受信動作を制御する。
【００４２】
第二の通信部２０３は、第一の通信部１０４との情報通信に使用される。ここでの情報通信とは、電話網、インターネット、イントラネットなどのうちのひとつ、あるいは複数の通信ネットワーク上で、無線手段または有線手段を使用して行う情報通信のことである。第二の通信部２０３は、第二の制御部２０２に命令により、判断条件情報の閲覧要求および判断条件情報の入力と、報知履歴・統計情報閲覧要求とを第一の通信部１０４に送信する。また、第二の通信部２０３は、第一の通信部１０４から、判断条件情報および報知履歴・統計情報を受信し、受信した情報を第二の制御部２０２に送信する。
【００４３】
入力部２０５は、判断条件情報の閲覧要求および判断条件情報の入力と、報知履歴・統計情報閲覧要求とを監視者１が入力するためのものであり、キーボードやポインティングデバイスなどの入力用デバイスである。入力された内容は第二の制御部２０２に送信される。表示部２０６は、第二の制御部２０２に読み込まれて実行されている同伴者報知システムクライアントプログラム２０４が監視者１に対して情報を出力して表示するためのものであり、具体的には液晶ディスプレイ、ブラウン管ディスプレイ、有機ＥＬディスプレイ、あるいはプラズマディスプレイなどである。表示部２０２は、閲覧要求に対応して判断条件情報および報知履歴・統計情報を出力する。このほか、該プログラム２０４の操作に必要な表示を出力する。
【００４４】
次に、本発明にかかる実施の形態の同伴者情報報知システムの動作を説明する。
【００４５】
図７は、情報管理システム１００の動作を説明するシーケンス図である。図７において、まず情報管理サーバー１０１が備える第一の制御部１０３は、端末位置登録情報記憶部１０７に対して監視対象端末の位置情報を要求し（ステップＳ１）、該情報を取得する（ステップＳ２）。次に、第一の制御部１０３は、判断条件情報記憶部１０９に対して対象の除外対象情報を要求し（ステップＳ３）、該情報を取得する（ステップＳ４）。第一の制御部１０３は、取得した位置情報と警告除外対象情報とを比較し、監視対象者が保持する端末３００の位置が警告除外対象情報に合致するかどうかを判断する（ステップＳ５）。監視対象者が保持する端末３００の位置が警告除外対象情報に合致する場合（ステップＳ５、Ｙｅｓ）、ステップＳ１７に移行する。監視対象者が保持する端末３００の位置が警告除外対象情報に合致しない場合（ステップＳ５、Ｎｏ）、ステップＳ６に移行する。
【００４６】
ステップＳ６において、第一の制御部１０３は、端末位置登録情報記憶部１０７に対して監視対象者が保持する端末３００周辺に存在する端末の位置情報を要求し、該位置情報を取得する（ステップＳ７）。次に、第一の制御部１０３は、判断条件情報記憶部１０９に対して監視対象者が保持する端末３００の検出条件を要求し（ステップＳ８）、該条件を取得する（ステップＳ９）。次に、第一の制御部１０３は、監視対象者が保持する端末３００周辺の個々の端末に対する判断シーケンスを実行する（ステップＳ１０）。
【００４７】
ここで、ステップＳ１０における監視対象者が保持する端末３００周辺の個々の端末に対する判断シーケンスを、図を使用して説明する。図８は、個々の端末に対する判断シーケンスを説明するシーケンス図である。図８において、まず、情報管理サーバー１０１が備える第一の制御部１０３は、監視対象者が保持する端末３００周辺の端末位置情報と、検出条件とを比較し、周辺の端末が検出条件の指定距離内に存在するかを判断する（ステップＳ２１）。周辺の端末が指定距離内に存在しない場合（ステップＳ２１、Ｎｏ）、ステップＳ３１に移行する。ステップＳ３１においては、第一の制御部１０３は対象端末情報１０６にアクセスし、該周辺の端末の情報が記録されている場合はその情報を削除して本判断シーケンスを抜け、図７のステップＳ１１に移行する。図８において、周辺の端末が検出条件の指定距離内に存在する場合（ステップＳ２１、Ｙｅｓ）、第一の制御部１０３は、判断条件情報記憶部１０９に対して監視対象者が保持する端末３００の警告除外対象情報を要求し（ステップＳ２２）、該情報を取得する（ステップＳ２３）。さらに、第一の制御部１０３は、加入者情報記憶部１０８に対して、該周辺の端末の加入者情報を要求し（ステップＳ２４）、該加入者情報を取得する（ステップＳ２５）。そして、第一の制御部１０３は、該周辺の端末が警告除外対象情報に該当するか否かを判断し（ステップＳ２６）、該当する場合（ステップＳ２６、Ｙｅｓ）、判断シーケンスを抜けて図７のステップ１１に移行し、該当しない場合（ステップＳ２６、Ｎｏ）、ステップＳ２７に移行する。
【００４８】
ステップＳ２７においては、第一の制御部１０３は該周辺の端末の加入者情報が検出条件に合致するか否かを判断し、合致しない場合（ステップＳ２７、Ｎｏ）、判断シーケンスを抜けて図７のステップＳ１１に移行し、合致する場合（ステップＳ２７、Ｙｅｓ）、ステップＳ２８に移行する。ステップＳ２８において、第一の制御部１０３は、該周辺の端末の情報（電話番号）が対象端末情報１０６内に記録されているかどうか確認し、記録されていない場合（ステップＳ２８、Ｎｏ）、該周辺の端末の詳細な情報（電話番号、検出日時、検出地域など）を記録し（ステップＳ３２）、該周辺の端末の情報（電話番号など）が対象端末情報１０６内に記録されている場合（ステップＳ２８、Ｙｅｓ）、記録されている検出日時からの時間が検出条件に記録されている滞在時間の条件を超過しているかどうか判断する（ステップＳ２９）。滞在時間の条件を超過している場合（ステップＳ２９、Ｙｅｓ）、第一の制御部１０３は、該周辺の端末を警告対象として対象端末情報１０６に記録し（ステップＳ３０）、判断シーケンスを抜けて図７のステップＳ１１に移行する。滞在時間の条件を超過していない場合（ステップＳ２９、Ｎｏ）、判断シーケンスを抜けて図７のステップＳ１１に移行する。
【００４９】
このように、第一の制御部１０３は、判断シーケンスを実行することによって、警告を要する端末の情報および警告候補端末情報を選別して対象端末情報１０６に記録する。
【００５０】
図８に示す判断シーケンスを抜けると、第一の制御部１０３は、図７において、対象端末情報１０６に警告対象となった端末が存在するかどうか判断し（ステップＳ１１）、存在しない場合（ステップＳ１１、Ｎｏ）、ステップＳ１７に移行する。警告対象となった端末が存在する場合（ステップＳ１１、Ｙｅｓ）、第一の制御部１０３は、判断条件情報記憶部１０９に対して警告通知先情報を要求し（ステップＳ１２）、該情報を取得する（ステップＳ１３）。そして第一の制御部１０３は、警告通知先に対応して警告内容情報を生成し（ステップＳ１４）、警告通知先情報に記述される警告通知先へ警告内容を通知する（ステップＳ１５）。そして、第一の制御部１０３は、報知履歴情報記憶部１１０に報知履歴を格納し（ステップＳ１６）、ステップＳ１７に移行する。ステップＳ１７において、第一の制御部１０２は、ステップＳ１を実行してからの経過時間が所定の時間になるまで待機し、ステップＳ１に戻る。ここで、所定の時間とは例えば１分であり、この時間によって設定される間隔で同伴者検出の動作が行われることになる。
【００５１】
次に、監視者１が判断条件情報の閲覧、判断条件情報の入力、報知履歴の閲覧、および報知履歴の統計情報の閲覧を行う場合の、情報端末機器２００の動作を説明する。
【００５２】
図９は、情報端末機器２００の動作を説明するフローチャートである。まず、監視者１が同伴者情報報知システムクライアントプログラム２０４を第二の制御部２０２に実行させ、判定条件情報閲覧、判定条件情報設定、報知履歴閲覧、および報知履歴の統計情報閲覧のうちの何れかを入力して本動作が開始される。第二の制御部２０２は前記入力が判定条件情報設定かどうか判定し（ステップＳ４１）、判定条件情報設定である場合（ステップＳ４１、Ｙｅｓ）、ステップＳ４２に移行する。前記入力が判定条件情報設定でない場合（ステップＳ４１、Ｎｏ）、ステップＳ４４に移行する。ステップＳ４２において、監視者１は入力部２０５を利用して判断条件情報を入力する。次に、第二の制御部２０２は、入力された判断条件情報を、第二の通信部２０３を通して情報管理サーバー１０１に送信し（ステップＳ４３）、終了入力を待機する状態となる（ステップＳ５３）。
【００５３】
ステップＳ４４において、第二の制御部２０２は、本動作開始時の入力が条件閲覧であったかどうか判断する。動作開始時の入力が条件閲覧であった場合（ステップＳ４４、Ｙｅｓ）、第二の制御部２０２は、第二の通信部２０３を通して判断条件情報を要求し、該情報を受信し、該情報を表示部２０６に表示させる（ステップＳ４５）。そして終了入力待機状態となる（ステップＳ５３）。ステップＳ４４において、動作開始時の入力が条件閲覧でなかった場合（ステップＳ４４、Ｎｏ）、ステップＳ４６に移行する。
【００５４】
ステップＳ４６では、第二の制御部２０２は、本動作開始時の入力が報知履歴閲覧であったかどうか判断する。本動作開始時の入力が報知履歴閲覧であった場合（ステップＳ４６、Ｙｅｓ）、第二の制御部２０２は、第二の通信部２０３を通して報知履歴を要求し、該履歴を受信し、該履歴を表示部２０６に表示させる（ステップＳ４７）。図１３の上部の表は、報知履歴の例を示す図である。このように報知履歴が表示されるわけであるが、検出地域、検出日時、解除地域、および解除日時などで並び替えて表示することができる。ステップＳ４８において、並び替えを指示する入力を監視者１が入力部２０５を通して入力すると（ステップＳ４８、Ｙｅｓ）、第二の制御部２０２は得られた履歴情報を所望とおりに並び替えて表示部２０６に表示させる（ステップＳ４９）。ステップＳ４８において、並び替えを指示する入力がない場合（ステップＳ４８、Ｎｏ）、ステップＳ５３に移行して終了入力を待機する状態となる。ステップＳ４６において、動作開始時の入力が報知履歴閲覧でなかった場合（ステップＳ４６、Ｎｏ）、ステップＳ５０に移行する。
【００５５】
ステップＳ５０においては、本動作開始時の入力は報知履歴の統計情報の閲覧であったので、第二の制御部２０２は、第二の通信部２０３を通して情報管理サーバー１０１から報知履歴を受信し、報知履歴を、図１３の例の下部に示す統計情報のように加工して表示部２０６に表示させる。図１３の例においては、各端末について、報知が行われた時間の累積時間である累積接触時間、一回あたりの同伴行為の平均時間である平均接触時間、一番長い同伴時間である最長接触時間、最も同伴の頻度が高かった曜日である最繁曜日、および最も同伴行為の多かった最繁接触場所が第二の制御部２０２により計算されて表示されている。もちろん、統計項目はこれ以外のものがあってもよい。次に、ステップＳ５１において、並び替えを指示する入力を監視者１が入力部２０５を通して入力すると（ステップＳ５１、Ｙｅｓ）、第二の制御部２０２は得られた履歴情報の統計情報を所望とおりに並び替えて表示部２０６に表示させる（ステップＳ５２）。ステップＳ５２において、並び替えを指示する入力がない場合（ステップＳ５２、Ｎｏ）、ステップＳ５３に移行して終了入力を待機する状態となる。並び替えとは、例えば統計情報の各項目について、値の大小に従った並び替えなどが考えられる。
【００５６】
最後に、ステップＳ５３において終了を指示する入力を監視者が行うと（ステップＳ５３、Ｙｅｓ）、第二の制御部２０２にて実行されていた同伴者情報報知システムクライアントプログラム２０４は終了され、本動作は終了する。ステップＳ５３において、監視者１が判定条件情報閲覧、判定条件情報設定、報知履歴閲覧、および報知履歴の統計情報閲覧のうちの何れかを入力すると（ステップＳ５３、Ｎｏ）、ステップＳ４１に移行する。
【００５７】
このように、監視者１は、情報端末機器２００に実装された同伴者情報報知システムクライアントプログラム２０４を実行して操作することにより、本実施例にかかる同伴者情報報知システムが報知対象を選別するための判断条件情報の閲覧および設定を行うことができる。ここで情報管理システム１００が監視対象端末の周辺の端末を検知して監視者に報知するまでの動作を、以下にさらに具体的に例を示して説明する。
【００５８】
例えば、２００７年４月１９日の２０時において、電話番号が０９０−１１１１−２２２２である監視対象端末Ａが東京都世田谷区ＸＸＸＹＹＹエリアのｘ＝１３０、ｙ＝２５０ポイントに静止して存在するとする。そして、図３に示す検出条件と、図４に示す警告除外対象情報と、図５に示す警告通知先情報とで端末Ａに対する条件セット１が構成されているとする。いま、ステップＳ２によりｘ＝１３０、ｙ＝２５０ポイントが検出され、端末Ａは東京都世田谷区ＸＸＸＹＹＹエリアのｘ＝１３０、ｙ＝２５０ポイントにいるという位置情報を第一の制御部１０３は取得し、ステップＳ４によって図４に示す警告除外対象情報を第一の制御部１０３が取得する。端末Ａの移動速度と除外対象エリアが警告除外対象情報を満たさないので、ステップＳ６に移行する。
【００５９】
次に、ステップＳ６、ステップＳ７において、第一の制御部１０３は、端末Ａ周辺の端末の情報、例えば図１０に示す４つの端末の情報を検出したとする。次に、第一の制御部１０３は、図３に示す検出条件を取得し、該条件を利用してステップＳ２１にて設定されている距離条件１０ｍを満たさない図１０の表の一番上の欄に記述されている端末を警告候補端末から外す。そして第一の制御部１０３は、図４に示す警告除外対象情報と加入者情報を取得し、警告除外対象情報に合致する図１０の表の上から２番目の欄に記述される端末を警告候補端末から外す。そしてステップＳ２７の判断手順を経た段階で、図１０の表の前記除外された端末以外の２つの端末が警告候補端末に残ったとする。
【００６０】
次に、第一の制御部１０３は対象端末情報１０６を参照し、図１１に示す二つの端末が検出されたとする。図１１に示す検出時刻の項目は、それぞれの端末は検出時刻の時間から継続してステップＳ２７までの選別により残ってきたことを示している。そして、滞在時間が検出条件である１５分を超過している、図１１の上段に記される端末が警告対象端末として保持される。
【００６１】
次に、ステップＳ１５により警告通知先情報に記される警告通知先に図１０の上段に記される端末に関する情報が送信される。図５の警告通知先の例のメールアドレスｘｘｘｘ＠ｙｙ．ｚｚｚ．ｊｐにメールで送信される警告の報知内容の例を図１２に示す。このように、該報知内容は、対象端末Ａ（０９０−１１１１−２２２２）の同伴者が所持する端末（０８０−９８７６−５４３２）を検出したことと、検出時刻と、検出地域とを表示している。また、報知内容には検出地域のマップも添付されており、マップを開くと対象端末と検出端末が記されたマップを監視者は閲覧することができる。ここで、第一の制御部１０３は、どのような条件で検出されたのかを報知するために、図３〜図５に示す条件セットをも添付して報知内容を送信するようにしてもよい。
【００６２】
また、この実施例の具体例においては、図３〜図５に示す情報からなるひとつの条件セットを端末Ａに対する判断条件情報として使用したが、もちろん複数の条件セットによって端末Ａの判断条件情報が構成されてもよい。条件セットを増やすことにより、より複雑な判断条件情報を構築することができる。
【００６３】
また、報知履歴および報知履歴の統計情報の閲覧を行うことにより、監視者１にとって同伴者の端末として頻繁に検出される端末やその累積・平均時間、検出場所についての傾向をつかむことができ、同伴の行動パターンを分析することができるようになる。
【００６４】
上述してきたように、本実施例では、無線電話端末の位置情報および加入者情報を取得し、判断条件情報と比較して同伴者の無線電話端末を割り出し、監視者に前記無線電話端末の情報を報知するので、相手の情報が不明であっても同伴行為を検知して監視者に同伴行為を報知する同伴者情報報知システムを得ることができる。また、判断条件情報は、同伴者を検出する検出条件、警告対象でない人物を同伴者として検出しないための選別条件である警告除外対象情報、および同伴者情報の警告報知先を記述した警告通知先情報を有しているので、監視対象者が同伴していてもかまわないと考える人物を報知することを抑止することができるとともに、同伴者情報の報知先の設定の自由度が増える。また、検出条件、警告除外対象情報、および警告通知先情報をひとつの条件セットとし、同じ監視対象端末に対して複数の条件セットを設定することができるので、監視者は実際の状況に合わせて複雑な判断条件情報を設定できる。また、クライアント端末である情報端末機器に同伴者報知システムクライアントプログラムを実装し、監視者は該プログラムを実行して判断条件情報を登録することができるので、監視対象者の状態に合わせていつでも適切に判断条件情報を設定できる。また、監視者は該プログラムを実行して登録済みの判断条件情報を閲覧することができるので、監視者は、登録内容を覚えていなくてもよい。
【００６５】
（付記１）無線電話端末の位置情報を利用して監視対象者の同伴者に関する情報を報知する同伴者情報報知システムであって、
無線電話端末を保持する監視対象者の近辺に存在する無線電話端末を保持する人物が監視対象者の同伴者であるかどうか判断するための判断条件情報を記憶する無線電話端末に関する判断条件情報記憶部と、
無線電話端末の位置情報と無線電話端末の加入者情報とを取得し、前記位置情報および前記加入者情報が前記判断条件情報を満たす無線電話端末を選別し、前記選別された無線電話端末に関する情報を同伴者情報として報知する制御部と、
を備えることを特徴とする同伴者情報報知システム。
【００６６】
（付記２）前記判断条件情報は、無線電話端末を保持する監視対象者の近辺に存在する無線電話端末を保持する人物が監視対象者の同伴者候補者であるか判断するための無線電話端末に関する条件である検出条件と、報知が必要でない人物を前記同伴者候補者から外すための無線電話端末に関する選別条件である警告除外対象情報と、同伴者情報の警告報知先を記述した警告通知先情報を有し、
前記制御部は、前記取得した位置情報および加入者情報を前記検出条件と比較して選別される無線電話端末から、前記警告除外対象情報に記述される無線電話端末を除外し、残った無線電話端末に関する情報を前記警告通知先情報に記述される通知先に同伴者情報として報知する、
ことを特徴とする付記１に記載の同伴者情報報知システム。
【００６７】
（付記３）前記判断条件情報は、前記検出条件、前記警告除外対象情報、および前記警告通知先情報を１セットとし、ひとつの監視対象の無線電話端末について複数セットの条件情報を保持することが可能である、
ことを特徴とする付記２に記載の同伴者情報報知システム。
【００６８】
（付記４）報知内容の履歴を記憶する報知履歴記憶部をさらに備えることを特徴とする付記１〜３の何れかひとつに記載の同伴者情報報知システム。
【００６９】
（付記５）付記１〜４の何れかひとつに記載の同伴者情報報知システムはクライアント端末をさらに有し、前記クライアント端末に実装され、前記判断条件情報を登録する手段を前記クライアント端末に実現させることを特徴とする判断条件情報登録プログラム。
【００７０】
（付記６）付記１〜４の何れかひとつに記載の同伴者情報報知システムはクライアント端末をさらに備え、前記クライアント端末に実装されるプログラムであって、前記判断条件情報記憶部に記憶されている前記判断条件情報を取得して表示する手段を前記クライアント端末に実現させることを特徴とする判断条件情報閲覧プログラム。
【００７１】
（付記７）無線電話端末の位置情報を利用して監視対象者の同伴者に関する情報を報知するための同伴者情報報知プログラムであって、
無線電話端末の位置情報と、無線電話端末の加入者情報と、無線電話端末を保持する監視対象者の近辺に存在する無線電話端末を保持する人物が監視対象者の同伴者であるかどうか判断するための無線電話端末に関する判断条件情報と、を取得する情報取得手順と、
前記位置情報および前記加入者情報が前記判断条件情報を満たす無線電話端末を検知する同伴者検知手順と、
該無線電話端末に関する情報を同伴者情報として報知する同伴者情報報知手順と、
をコンピュータに実行させることを特徴とする同伴者情報報知プログラム。
【００７２】
（付記８）無線電話端末の位置情報を利用して監視対象者の同伴者に関する情報を報知する同伴者情報報知方法であって、
無線電話端末の位置情報と、無線電話端末の加入者情報と、無線電話端末を保持する監視対象者の近辺に存在する無線電話端末を保持する人物が監視対象者の同伴者であるかどうか判断するための無線電話端末に関する判断条件情報と、を取得する第一ステップと、
前記位置情報および前記加入者情報が前記判断条件情報を満たす無線電話端末を検知する第二ステップと、
該無線電話端末に関する情報を同伴者情報として報知する第三ステップと、
を含んだことを特徴とする同伴者情報報知方法。
【産業上の利用可能性】
【００７３】
以上のように、本発明にかかる同伴者情報報知システムは、無線電話端末の位置情報から監視対象者の同伴者を検知して監視者に報知する場合に有用であり、特に、同伴者の情報が不明な場合に適している。
【図面の簡単な説明】
【００７４】
【図１】本発明にかかる同伴者情報報知システムの実施例を利用したサービス構成例を説明する図である。
【図２】本発明にかかる同伴者情報報知システムの実施例の構成を説明する図である。
【図３】検出条件の例を説明する図である。
【図４】警告除外対象情報の例を説明する図である。
【図５】警告通知先情報の例を説明する図である。
【図６】対象端末の判断条件情報を説明する図である。
【図７】本発明にかかる同伴者情報報知システムの実施例の動作を説明するシーケンス図である。
【図８】対象周辺の端末個々に対する判断動作を説明するシーケンス図である。
【図９】情報端末機器の動作を説明するフローチャートである。
【図１０】位置情報の例を説明する図である。
【図１１】対象端末情報に記憶された端末情報の例を説明する図である。
【図１２】報知内容の例を説明する図である。
【図１３】履歴情報と統計情報の例を説明する図である。
【符号の説明】
【００７５】
１    監視者
２    監視対象者
３    不明な人物
４    電話網
５    登録条件
６    報知情報
７    履歴・統計情報
１００    情報管理システム
１０１    情報管理サーバー
１０２    第一の記憶部
１０３    第一の制御部
１０４    第一の通信部
１０５    同伴者情報報知システムサーバープログラム
１０６    対象端末情報
１０７    端末位置登録情報記憶部
１０８    加入者情報記憶部
１０９    判断条件情報記憶部
１１０    報知履歴情報記憶部
２００    情報端末機器
２０１    第二の記憶部
２０２    第二の制御部
２０３    第二の通信部
２０４    同伴者情報報知システムクライアントプログラム
２０５    入力部
２０６    表示部
３００    無線電話端末
１０００    同伴者情報報知システム
Ｓ１〜Ｓ１７、Ｓ２０〜Ｓ３２、Ｓ４１〜Ｓ５３    ステップ
【図１】
0005277601.tif 000002
【図２】
0005277601.tif 000003
【図３】
0005277601.tif 000004
【図４】
0005277601.tif 000005
【図５】
0005277601.tif 000006
【図６】
0005277601.tif 000007
【図７】
0005277601.tif 000008
【図８】
0005277601.tif 000009
【図９】
0005277601.tif 000010
【図１０】
0005277601.tif 000011
【図１１】
0005277601.tif 000012
【図１２】
0005277601.tif 000013
【図１３】
0005277601.tif 000014